(57)【特許請求の範囲】
【請求項１】
底壁２前部を台板部２ａとすると共に、該台板部を除く底壁部分から起立させた壁板により、後面および側面を閉塞し、かつ前面を先細りに狭く開口して並立する、複数の収納室４，  ５を形成し、また上記台板部２ａから起立させた壁板により、上記各収納室４，  ５の前面開口部から台板部２ａ前端まで横巾狭小の振出溝１０，  １１を、振出溝巾より大きい間隔を振出溝１０，  １１間に設けて形成し、更に各振出溝１０，  １１の左右壁板のうち、いずれか一方に定めた側の壁板の基部ないし途中にそれぞれ割溝１３，  １５を穿設した容器本体部材１と、上記各収納室４，  ５上面を閉塞する蓋体２３と、上記各振出溝１０，  １１上面を閉塞する頂板２８から前壁２９および左右側壁３０，  ３０を垂下させて、各振出溝１０，  １１の前端開口面および台板部２ａ左右両側縁上方部分を閉塞させると共に、上記各割溝１３，  １５内へ一端部を挿入させて該割溝を有する側の振出溝間の間隙ないし振出溝側方空間部へ、振出溝用遮閉板３１，  ３２を前壁に対して平行に頂板２８から垂下し、また各遮閉板を振出溝１０，  １１内へ移動させる方向にだけ摺動可能に設けた摺動蓋２７と、上記摺動蓋を逆摺動方向へ付勢するスプリング３５とからなり、上記摺動蓋２７を付勢に抗して摺動させたとき、各遮閉板３１，  ３２が各振出溝１０，  １１を閉塞すると共に、前壁２９に穿設した複数振出孔３４，  ３４が各振出溝１０，  １１前面を開口可能に形成したことを特徴とする固形薬剤振出容器。
【請求項２】
振出溝１０，  １１の少なくとも一つを、割溝１３，  １５前方の振出溝部分内に複数個の固形薬剤を収容させることが可能に形成した請求項１記載の固形薬剤振出容器。
【発明の詳細な説明】
【０００１】
【発明の属する技術分野】
本発明は、錠剤、カプセル等を収納する固形薬剤振出容器に係る。
【０００２】
【従来の技術】
【発明が解決しようとする課題】
２  この種容器として、胴部上端から口頸部を起立した、合成樹脂製ないし硝子製の容器本体と、該容器本体の口頸部外面に螺合させたキャップとで形成した容器が広く知られている。
【０００３】
ところで、従来、錠剤は一種類毎に別個の容器へ収納させているから、同時に二種以上の錠剤を服用する場合は、それぞれの容器から個別に錠剤を取り出さねばならない不便があった。また、薬剤の種類によって服用する錠剤の数が相違するが、複数種類の錠剤を服用する場合にはその数を誤り易く、また、必要以上に錠剤を取り出し過ぎると、指先、手のひら等に触れた錠剤を容器に戻すこととなるので、衛生面で問題があった。
【０００４】
請求項１の発明は、複数種類の錠剤等を容易に取り出すことができるよう設けた容器に係る。
請求項２の発明は、複数種類かつ必要数の錠剤等を容易に取り出すことができるよう形成した容器に係る。
【０００５】
【課題を解決するための手段】
第１の手段として、底壁２前部を台板部２ａとすると共に、該台板部を除く底壁部分から起立させた壁板により、後面および側面を閉塞し、かつ前面を先細りに狭く開口して並立する、複数の収納室４，  ５を形成し、また上記台板部２ａから起立させた壁板により、上記各収納室４，  ５の前面開口部から台板部２ａ前端まで横巾狭小の振出溝１０，  １１を、振出溝巾より大きい間隔を振出溝１０，  １１間に設けて形成し、更に各振出溝１０，  １１の左右壁板のうち、いずれか一方に定めた側の壁板の基部ないし途中にそれぞれ割溝１３，  １５を穿設した容器本体部材１と、上記各収納室４，  ５上面を閉塞する蓋体２３と、上記各振出溝１０，  １１上面を閉塞する頂板２８から前壁２９および左右側壁３０，  ３０を垂下させて、各振出溝１０，  １１の前端開口面および台板部２ａ左右両側縁上方部分を閉塞させると共に、上記各割溝１３，  １５内へ一端部を挿入させて該割溝を有する側の振出溝間の間隙ないし振出溝側方空間部へ、振出溝用遮閉板３１，  ３２を前壁に対して平行に頂板２８から垂下し、また各遮閉板を振出溝１０，  １１内へ移動させる方向にだけ摺動可能に設けた摺動蓋２７と、上記摺動蓋を逆摺動方向へ付勢するスプリング３５とからなり、上記摺動蓋２７を付勢に抗して摺動させたとき、各遮閉板３１，  ３２が各振出溝１０，  １１を閉塞すると共に、前壁２９に穿設した複数振出孔３４，  ３４が各振出溝１０，  １１前面を開口可能に形成した。
【０００６】
第２の手段として、上記構成とした固形薬剤振出容器において、振出溝１０，  １１の少なくとも一つを、割溝１３，  １５前方の振出溝部分内に複数個の固形薬剤を収容させることが可能に形成した。
【０００７】
【発明の実施の形態】
１は容器本体部材であり、該容器本体部材は、底壁２前部を台板部２ａとすると共に、該台板部を除く底壁部分から起立させた壁板により、後面および側面を閉塞し、かつ前面を先細りに狭く開口して並立する、複数の収納室４，  ５を形成している。即ち、上記台板部２ａを除く底壁部分の左右両側縁および底壁２後縁から外壁板３を、かつ底壁２上面から前後方向の内壁板６を、それぞれ起立すると共に、上記内壁板６と左方外壁板との間の底壁２の前部左右から左右一対の第１傾斜壁板７，７を、これ等両壁板相互の間隔を前方で次第に近接するよう起立することで、後面および側面を閉塞し、かつ前面を先細りに狭く開口する第１の収納室４を形成し、また、上記左方外壁板前部左側の底壁部分から第２傾斜壁板９を起立することで、後面および側面を閉塞し、かつ前面を先細りに狭く開口する第２の収納室５を、上記第１の収納室４と並立させて形成している。第１の収納室４は第２の収納室５に比して容量を大とし、また、両収納室４，５前部の各底壁部分はそれぞれ前方高の傾斜面とし、これ等傾斜面および上記両傾斜壁部７，  ９によって、各収納室４，５内へ収容した錠剤、カプセル等の固形薬剤を後述振出溝１０，  １１内へ円滑に案内できるよう形成している。
【０００８】
上記台板部２ａには、該台板部から起立させた壁板により、上記各収納室４，  ５の前面開口部から台板部２ａ前端まで横巾狭小の振出溝１０，  １１を形成している。即ち、上記台板部２ａの左側部から起立する左右一対の第１溝形成壁板１２，  １２によって、上記第１の収納室４前面開口部から台板部２ａ前端まで、複数錠剤等を収納可能に第１の振出溝１０を形成し、かつ上記台板部２ａの右側部から第２溝形成壁板１４を、上記内壁板６前部と小間隙を隔てて起立することによって、上記第２の収納室５前面開口部から台板部２ａ前端まで第２の振出溝１１を、該振出溝巾より大きい間隔を上記第１の振出溝１０との間に設けて形成し、更に、上記第１溝形成壁板１２，  １２の左側壁基部に第１の割溝１３を、かつ上記内壁板６前部に第２の割溝１５を、それぞれ穿設している。
【０００９】
更に、上記台板部２ａ上面からは複数の摺動案内壁１６，  １８，  ２１が起立してあり、上記第１の振出溝１０後端左側の台板部部分から相互に近接する前後一対の第１摺動案内壁１６，  １６を起立して、これ等摺動案内壁間を、上記第１の割溝１３を介して第１の振出溝１０に連通する第１摺動溝１７としている。また、上記両振出溝１０，  １１間の台板部部分からは相互に近接する前後一対の第２摺動案内壁１８，  １８を起立し、これ等第２摺動案内壁間を、上記第２の割溝１５を介して第２の振出溝１１に連通する第２摺動溝１９とし、かつそれ等第１，  第２摺動案内壁１６，  １８の各前壁後面下部に左右方向の小溝部を穿設している。また更に、上記台板部２ａ前縁の左右方向中間部および台板部２ａ前縁の左右両部から第３摺動案内壁２１…を起立し、かつ左右両第３摺動案内壁２１，  ２１の前面下端に小溝部を穿設し、更に、上記台板部２ａ右側縁からは外側壁２２を起立している。
【００１０】
２３は蓋体であり、該蓋体は、図１が鎖線で示すように、上記両収納室４，  ５上面を閉塞する頂壁の左右両側縁および後縁から取付け壁２４を垂設して、該取付け壁を上記容器本体部材１の外壁板３外面へ嵌合させ、かつ取付け壁２４と上記外壁板３に形成した凹凸の係合手段により抜け出しを阻止している。
【００１１】
２７は摺動蓋であり、該摺動蓋は、上記両振出溝１０，  １１上面を閉塞する頂板２８前縁から垂設する前壁２９によって上記振出溝１０，  １１の前端開口面を閉塞し、また、頂板２８の左右両側縁から側壁３０ａ，  ３０ｂを垂設して、左側壁３０ａで上記台板部２ａの左側縁上方部分を閉塞し、かつ右側壁３０ｂを台板部２ａの右側縁上方部分を閉塞している外側壁２２外面へ当接させている。また、上記頂板２８の下面左右両部からは第１，第２の振出溝用遮閉板３１，  ３２を前壁２９に対して平行に垂設し、第１の遮閉板３１右半部を上記第１摺動溝１７内へ、かつ第２の遮閉板３２を上記第２摺動溝１９内へ、それぞれ摺動可能に嵌合させると共に、それ等遮閉板３１，  ３２の各右端部を上記第１，第２の割溝１３，  １５内へそれぞれ挿入させ、更に、図１が破線で示すように、両遮閉板３１，  ３２の前面下端および上記前壁２９内面下端の左右両部に横設した小突部３３…を上記各摺動案内壁１６，１８，２１に形成した小溝部内へ係合させている。当該摺動蓋は、図２が示す状態から図中右方向へ摺動可能に形成してあり、かつ図３が示すように摺動させたとき、上記各遮閉板３１，  ３２が上記両振出溝１０，  １１を閉塞し、かつ上記前壁２９の左右両部に穿設した振出孔３４，  ３４によって各振出溝１０，  １１前面を開口させることが可能に形成している。
【００１２】
３５はスプリングであって、図２が示すように、上記第１溝形成壁板１２，  １２の左側壁と摺動蓋２７の左側壁３０ａとの間に介在されて摺動蓋２７を逆摺動方向へ付勢している。
【００１３】
収容錠剤を取り出すには、図２が示す状態から、図３が示すように、スプリング３５の付勢に抗して摺動蓋２７を図中右側へ摺動させる。これにより両収納室４，  ５と振出溝１０，  １１の連通が左右両遮閉板３１，  ３２によって遮断され、かつ摺動蓋２７の各振出孔３４，  ３４が振出溝１０，  １１と連通し、両振出溝内の錠剤等を振出孔３４，  ３４から取り出すことができる。また、該状態から、摺動蓋２７を解放すると、スプリング３５の付勢によって、摺動蓋２７が原位置に戻って、両振出溝１０，  １１の前端が摺動蓋２７の前壁２９によって閉塞される。
【００１４】
図示の実施形態では、第１の振出溝１０内へ複数の錠剤を、かつ第２の振出溝１１内へ単数の錠剤を収容させるよう形成したが、両振出溝内へ複数の錠剤を収容させるよう形成してもよく、また、三個以上の錠剤を収容させるよう形成してもよい。更に、三室以上の収納室４，  ５を並立して形成してもよく、この場合は、振出溝、遮閉板等を必要数形成し、また更に、一回宛の振出個数に応じて各収納室の容積を適宜調節する。
尚、上記各部材は、スプリング３５を除いて合成樹脂材によって適宜成形する。
【００１５】
【発明の効果】
本発明は上記構成とするものであり、請求項１記載の発明の場合は、台板部２ａを除く底壁部分から起立させた壁板により、後面および側面を閉塞し、かつ前面を先細りに狭く開口して並立する、複数の収納室４，  ５を形成し、また台板部２ａから起立させた壁板により、各収納室４，  ５の前面開口部から台板部２ａ前端まで横巾狭小の振出溝１０，  １１を形成し、更に、台板部２ａへ装着させた摺動蓋２７を摺動させることで、該摺動蓋の頂板２８から垂設した遮閉板３１，  ３２が振出溝１０，  １１の基部ないし途中をを閉塞し、かつ、このとき摺動蓋２７の前壁２９に穿設した複数振出孔３４，  ３４が各振出溝１０，  １１の前面を開口させることが可能に形成したから、摺動蓋２７を摺動させることで、各振出溝１０，  １１内から複数種類の錠剤等を容易に取り出すことができ、かつ摺動蓋２７を摺動させたとき、各収納室４，５と振出溝１０，  １１の連通が遮閉板３１，  ３２によって遮断されるので、錠剤等が必要以上に振出されることがない。また、摺動蓋２７の前壁２９で各振出溝１０，  １１の前端開口面を閉塞させたから、不使用時に、各振出溝１０，  １１内に埃等が入ることを防止できる。
【００１６】
請求項２記載の発明の場合は、振出溝１０，  １１の少なくとも一つを、割溝１３，  １５前方の振出溝部分内に複数個の固形薬剤を収容させることが可能に形成したから、摺動蓋２７を摺動させることで、複数種類かつ必要数の錠剤等を容易に取り出すことができる。
【図面の簡単な説明】
【図１】本発明容器の斜視図である。
【図２】同実施形態の横断面図である。
【図３】同実施形態を、摺動蓋を摺動させた状態で示す横断面図である。
【符号の説明】
１…容器本体部材        ２７…摺動蓋
【図１】
0003616445.tif 000002
【図２】
0003616445.tif 000003
【図３】
0003616445.tif 000004